(57)【要約】      （修正有）【課題】パレットの位置の管理を確実に行うことができるパレット管理システム、パレット管理装置およびフォークリフトを提供する。【解決手段】パレット管理システムは、パレット１０のバーコード情報を読み取る手段と、振動センサを備えたパレットの振動情報を受信する無線通信手段と、フォークの高さ判別手段のうち少なくともいずれか一つの手段を備え、パレットの設置場所の周囲を含む画像を撮影する手段と、バーコード情報、振動情報、高低情報のうち少なくともいずれか一つの情報とパレット画像情報を関連付けて保存し、送信する無線通信手段とを備えたフォークリフト２０と、送信されたパレット画像情報を受信し、パレットの設置場所を特定する画像データとして保存する手段を備えたパレット管理装置とを有する。パレット管理装置は、パレット画像情報を、バーコード情報、振動情報、フォークの高低情報を用いて選別し、保存する画像データ量を削減する。【選択図】図５
2015084139.tif 000002
【特許請求の範囲】
【請求項１】
パレットを識別するバーコード情報を読み取る読み取り手段と、振動センサを備えたパレットから送信されるパレットの振動情報を受信する第一の無線通信手段と、フォークの高低情報を得るための高さ判別手段のうち少なくともいずれか一つの手段を備え、前記パレットの設置場所の周囲を含むパレットの画像を撮影しパレット画像情報を取得する撮影手段と、前記バーコード情報、前記振動情報、前記高低情報のうち少なくともいずれか一つの情報と前記パレット画像情報を関連付けて保存する手段と、前記保存したパレット画像情報を送信する第二の無線通信手段とを備えたフォークリフトの前記第二の無線通信手段から送信されたパレット画像情報を受信する手段と、
受信したパレット画像情報を前記パレットの設置場所を特定する画像データとして保存する手段と
を備えたパレット管理装置。
【請求項２】
前記パレット画像情報を、少なくとも前記バーコード情報、振動情報、フォークの高低情報のいずれか一つに基づいて選別し、
選別した前記パレット画像情報を前記パレットの設置場所を特定する画像データとして保存する
請求項１記載のパレット管理装置。
【請求項３】
パレットを識別するバーコード情報を読み取る読み取り手段と、振動センサを備えたパレットから送信されるパレットの振動情報を受信する第一の無線通信手段と、フォークの高低情報を得るための高さ判別手段のうち少なくともいずれか一つの手段を備え、
前記パレットの設置場所の周囲を含むパレットの画像を撮影しパレット画像情報を取得する撮影手段と、
前記バーコード情報、前記振動情報、前記高低情報のうち少なくともいずれか一つの情報と前記パレット画像情報を関連付けて、前記パレット画像情報を前記パレットの設置場所を特定する画像データとして保存する手段と、
前記画像データを送信する第二の無線通信手段と
を備えたフォークリフト。
【請求項４】
前記パレット画像情報を、少なくとも前記バーコード情報、振動情報、フォークの高低情報のいずれか一つに基づいて選別し、
選別した前記パレット画像情報を前記パレットの設置場所を特定する画像データとして保存する
請求項３記載のフォークリフト。
【請求項５】
パレットを識別するバーコード情報を読み取る読み取り手段と、振動センサを備えたパレットから送信されるパレットの振動情報を受信する第一の無線通信手段と、フォークの高低情報を得るための高さ判別手段のうち少なくともいずれか一つの手段を備え、
前記パレットの設置場所の周囲を含むパレットの画像を撮影しパレット画像情報を取得する撮影手段と、
前記バーコード情報、前記振動情報、前記高低情報のうち少なくともいずれか一つの情報と前記パレット画像情報を関連付けて保存する手段と、
前記保存したパレット画像情報を送信する第二の無線通信手段とを備えたフォークリフトと、
前記第二の無線通信手段から送信されたパレット画像情報を受信する手段と、
受信したパレット画像情報を前記パレットの設置場所を特定する画像データとして保存する手段を備えたパレット管理装置と
を有するパレット管理システム。
【請求項６】
前記パレット管理装置は、前記パレット画像情報を、少なくとも前記バーコード情報、振動情報、フォークの高低情報のいずれか一つに基づいて選別し、
選別した前記パレット画像情報を前記パレットの設置場所を特定する画像データとして保存する
請求項５記載のパレット管理システム。
【請求項７】
前記パレット管理装置は、前記パレットの設置場所を特定する画像データをサーバにアップロードする手段を備え、
前記サーバは、アップロードされた前記パレットの設置場所を特定する画像データをユーザ端末からの要求に応じて提供する手段を備えた
請求項５または６記載のパレット管理システム。
【請求項８】
パレットを識別するバーコード情報を読み取る読み取り手段と、振動センサを備えたパレットから送信されるパレットの振動情報を受信する第一の無線通信手段と、フォークの高低情報を得るための高さ判別手段のうち少なくともいずれか一つの手段を備え、
前記パレットの設置場所の周囲を含むパレットの画像を撮影しパレット画像情報を取得する撮影手段と、
前記バーコード情報、前記振動情報、前記高低情報のうち少なくともいずれか一つの情報と前記パレット画像情報を関連付けて、前記パレット画像情報を前記パレットの設置場所を特定する画像データとして保存する手段と、
前記画像データを送信する第二の無線通信手段とを備えたフォークリフトと、
前記第二の無線通信手段から送信された前記画像データを受信する手段と、
前記画像データをユーザ端末からの要求に応じて提供する手段とを備えたサーバと
を有するパレット管理システム。
【請求項９】
前記フォークリフトは、前記パレット画像情報を、少なくとも前記バーコード情報、振動情報、フォークの高低情報のいずれか一つに基づいて選別し、
選別した前記パレット画像情報を前記パレットの設置場所を特定する画像データとして保存する
請求項８記載のパレット管理システム。
【発明の詳細な説明】
【技術分野】
【０００１】
本発明は、物品を運搬するパレットのパレット管理システム、パレット管理装置及びフォークリフトに関する。
【背景技術】
【０００２】
商品等の貨物の格納または運搬は、パレットと呼ばれる荷台を利用して行われることが多い。このようなパレットは、メーカ等が自ら保有している場合もあるが、通常は、パレットレンタル会社がパレットを保有し、メーカからの注文に応じてレンタルされることが多い。例えば、メーカが商品を出荷するため、パレットレンタル会社にパレットのレンタルを注文した場合、パレットレンタル会社は、注文に応じた数のパレットをメーカにレンタルする。メーカはパレットに商品を積載し、その商品が積載されたパレットを複数の卸売店に納品し、さらに、卸売店は、その商品が積み込まれたパレットを複数の小売店に納品する。そして、小売店では、商品を降ろした空きパレットが発生し、この空きパレットは回収されて、パレットレンタル会社に戻される。
【０００３】
しかしながら、パレットが市場において商品とともに流通すると流通範囲が拡大するため、パレットの回収が非常に困難となる場合が多い。貨物を運搬する運送業者は、流通したパレットの存在場所、空きパレットかどうかが把握できないので、パレットの管理、回収ができない。もし、流通先ごとにパレットの管理を行うことができれば、パレットの管理は可能であるが、パレットの存在や数を確認するための稼働コストが膨大になる。
【０００４】
このパレットを管理する方法として、物品を運搬するパレットに無線タグを備えて、パレットを管理する方法がある（例えば、特許文献１参照）。また、荷物の搬送先や在庫を表すデータが予め記憶された無線タグを有するパレットと、無線タグからのデータを読み取るためのタグリーダを搭載したフォークリフトとを備え、フォークリフトのフォークをパレットに挿入して荷物を運搬するときに、タグリーダが、無線タグからデータを取得するようにされたものがある（ 例えば、特許文献２ 参照）。
【０００５】
また、無線タグリーダを備えたフォークリフトに無線端末を備えて、無線タグリーダにより読み取った情報を無線端末を使って、パレットレンタル会社に設置した無線基地局に送信し、パレットレンタル会社に設置したホストコンピュータで管理する方法もある。（例えば、特許文献３参照）。この方法では、パレットレンタル会社は、パレットを管理するホスト端末とパレットの情報を送受信する無線基地局を備える。パレットには、パレットのＩＤを記憶した無線タグを設け、パレットを輸送するフォークリフトに無線タグの読み取り装置及び無線基地局にパレットの情報を送信するための無線機を設置している。そして、パレットの貸出時には、フォークリフトでパレットを運ぶ毎に無線タグのパレットＩＤを読み取り、そのＩＤ情報を無線基地局に送り、パレットレンタル会社のホストコンピュータに記録する。一方、パレットを回収する際にも同様にフォークリフトでパレットを運ぶ毎に無線タグのパレットＩＤを読み取り、そのＩＤ情報を無線基地局に送り、パレットレンタル会社のホストコンピュータに記録する。
【０００６】
このように、パレットを貸出、回収する際に、パレットを運搬するフォークリフトにより、パレットのＩＤを読み取ることにより、パレットの貸出回収を管理し、パレットの管理を行うことができる。未回収のパレットや紛失したパレットの状況も把握することが可能である。また、無線タグの読み取り装置には、フォークリフトの他にも、倉庫等の出入り口に設けるゲート型や床面型、人間が読み取りを行うハンディ型等も実用化されており、さまざまな方法で、無線タグの情報を読み取りパレットの管理を行うことが可能となっている。
【先行技術文献】
【特許文献】
【０００７】
【特許文献１】特開２００１−２７８２７０号公報
【特許文献２】特開２００２−２６５０６０号公報
【特許文献３】特開２００５−１１９６７０号公報
【発明の概要】
【発明が解決しようとする課題】
【０００８】
しかしながら、パレットに無線タグを設けた場合でも、パレットの管理・回収が困難な場合が多い。例えば、非常に広い倉庫等の中にパレットを搬入した場合には、倉庫の中にパレットを搬入したことは管理できたとしても、その倉庫の中のどこに設置したかまで把握することは困難である。
【０００９】
このような場合の無線タグの読み取りを行う場合には、ハンディタイプの無線タグリーダ等を使って人間の作業により無線タグを読み取ってデータベースに登録する必要があるので、読み取りのための稼働費や人件費がかかり、人間が行う作業なので間違いや読み取りミス等により管理が正確に行われない場合もある。また、手作業により設置場所を把握できたとしても、再度倉庫内でパレットが移動されてしまうとそのパレットは再び回収困難になってしまう。
【００１０】
本発明は、以上のような問題を解消するためになされたものであり、パレットの位置の管理を確実に行うことができるパレット管理システム、パレット管理装置およびフォークリフトを提供することを目的とする。
【課題を解決するための手段】
【００１１】
上述したような課題を解決するために、本発明に係るパレット管理装置は、パレットを識別するバーコード情報を読み取る読み取り手段と、振動センサを備えたパレットから送信されるパレットの振動情報を受信する第一の無線通信手段と、フォークの高低情報を得るための高さ判別手段のうち少なくともいずれか一つの手段を備え、前記パレットの設置場所の周囲を含むパレットの画像を撮影しパレット画像情報を取得する撮影手段と、前記バーコード情報、前記振動情報、前記高低情報のうち少なくともいずれか一つの情報と前記パレット画像情報を関連付けて保存する手段と、前記保存したパレット画像情報を送信する第二の無線通信手段とを備えたフォークリフトの前記第二の無線通信手段から送信されたパレット画像情報を受信する手段と、受信したパレット画像情報を前記パレットの設置場所を特定する画像データとして保存する手段を備える。
【００１２】
また、前記パレット画像情報を、少なくとも前記バーコード情報、振動情報、フォークの高低情報のいずれか一つに基づいて選別し、選別した前記パレット画像情報を前記パレットの設置場所を特定する画像データとして保存してもよい。
【００１３】
上述したような課題を解決するために、本発明に係るフォークリフトは、パレットを識別するバーコード情報を読み取る読み取り手段と、振動センサを備えたパレットから送信されるパレットの振動情報を受信する第一の無線通信手段と、フォークの高低情報を得るための高さ判別手段のうち少なくともいずれか一つの手段を備え、前記パレットの設置場所の周囲を含むパレットの画像を撮影しパレット画像情報を取得する撮影手段と、前記バーコード情報、前記振動情報、前記高低情報のうち少なくともいずれか一つの情報と前記パレット画像情報を関連付けて、前記パレット画像情報を前記パレットの設置場所を特定する画像データとして保存する手段と、前記画像データを送信する第二の無線通信手段とを備える。
【００１４】
また、前記パレット画像情報を、少なくとも前記バーコード情報、振動情報、フォークの高低情報のいずれか一つに基づいて選別し、選別した前記パレット画像情報を前記パレットの設置場所を特定する画像データとして保存してもよい。
【００１５】
上述したような課題を解決するために、本発明に係るパレット管理システムは、パレットを識別するバーコード情報を読み取る読み取り手段と、振動センサを備えたパレットから送信されるパレットの振動情報を受信する第一の無線通信手段と、フォークの高低情報を得るための高さ判別手段のうち少なくともいずれか一つの手段を備え、前記パレットの設置場所の周囲を含むパレットの画像を撮影しパレット画像情報を取得する撮影手段と、前記バーコード情報、前記振動情報、前記高低情報のうち少なくともいずれか一つの情報と前記パレット画像情報を関連付けて保存する手段と、前記保存したパレット画像情報を送信する第二の無線通信手段とを備えたフォークリフトと、前記第二の無線通信手段から送信されたパレット画像情報を受信する手段と、受信したパレット画像情報を前記パレットの設置場所を特定する画像データとして保存する手段を備えたパレット管理装置とを有する。
【００１６】
また、前記パレット管理装置は、前記パレット画像情報を、少なくとも前記バーコード情報、振動情報、フォークの高低情報のいずれか一つに基づいて選別し、選別した前記パレット画像情報を前記パレットの設置場所を特定する画像データとして保存してもよい。
【００１７】
また、前記パレット管理装置は、前記パレットの設置場所を特定する画像データをサーバにアップロードする手段を備え、
前記サーバは、アップロードされた前記パレットの設置場所を特定する画像データをユーザ端末からの要求に応じて提供する手段を備えてもよい。
【００１８】
上述したような課題を解決するために、本発明に係るパレット管理システムは、パレットを識別するバーコード情報を読み取る読み取り手段と、振動センサを備えたパレットから送信されるパレットの振動情報を受信する第一の無線通信手段と、フォークの高低情報を得るための高さ判別手段のうち少なくともいずれか一つの手段を備え、前記パレットの設置場所の周囲を含むパレットの画像を撮影しパレット画像情報を取得する撮影手段と、前記バーコード情報、前記振動情報、前記高低情報のうち少なくともいずれか一つの情報と前記パレット画像情報を関連付けて、前記パレット画像情報を前記パレットの設置場所を特定する画像データとして保存する手段と、前記画像データを送信する第二の無線通信手段とを備えたフォークリフトと、前記第二の無線通信手段から送信された前記画像データを受信する手段と、前記画像データをユーザ端末からの要求に応じて提供する手段とを備えたサーバとを有する。
【００１９】
また、前記フォークリフトは、前記パレット画像情報を、少なくとも前記バーコード情報、振動情報、フォークの高低情報のいずれか一つに基づいて選別し、選別した前記パレット画像情報を前記パレットの設置場所を特定する画像データとして保存してもよい。
【発明の効果】
【００２０】
本発明によれば、パレットを移動する際のパレット画像情報をパレットの識別情報とパレットの存在場所の情報と関連付けて保存しておくことにより、パレットの紛失を防止し、パレットの管理、回収を確実に行うことができる。また、パレットの画像情報量をパレットのバーコード情報やフォークの高低情報、パレットの振動情報等を用いて削減することができるので、パレットの位置情報へのアクセス、検索を効率よく行うことができるようになる。
【図面の簡単な説明】
【００２１】
【図１】図１は、本発明の実施の形態に係る無線タグとバーコードを備えたパレットを示す図である。
【図２】図２は、本発明の実施の形態に係るパレットを運搬するフォークリフトを示す図である。
【図３】図３は、本発明の実施の形態に係るフォークリフトとパレットの機能ブロック図である。
【図４】図４は、本発明の実施の形態に係るエリアＰＣ（パレット管理装置）の機能ブロック図である。
【図５】図５は、本発明の実施の形態に係るパレット管理システムの全体構成図である。
【図６】図６は、パレットのバーコード読み取りとフォークリフトのフォークの高さの検知と、パレットの振動の測定を行いながらパレット移動を行った場合の動作の概要を示す図である。
【図７】図７は、パレットのバーコード読み取りとパレットの振動の測定を行いながらパレット移動を行った場合の動作の概要を示す図である。
【図８】図８は、パレットのバーコード読み取りとフォークリフトのフォークの高さの検知を行いながらパレット移動を行った場合の動作の概要を示す図である。
【図９】図９は、フォークリフトのフォークの高さの検知と、パレットの振動の測定を行いながらパレット移動を行った場合の動作の概要を示す図である。
【図１０】図１０は、フォークリフトのフォークの高さの検知を行いながらパレット移動を行った場合の動作の概要を示す図である。
【図１１】図１１は、パレットのバーコード読み取りとフォークリフトのフォークの高さの検知と、パレットの振動の測定を行いながらパレット移動を行った場合の動作の概要を示すフローチャートである。
【図１２】図１２は、パレットのバーコード読み取りとパレットの振動の測定を行いながらパレット移動を行った場合の動作の概要を示すフローチャートである。
【図１３】図１３は、パレットのバーコード読み取りとフォークリフトのフォークの高さの検知を行いながらパレット移動を行った場合の動作の概要を示すフローチャートである。
【図１４】図１４は、フォークリフトのフォークの高さの検知と、パレットの振動の測定を行いながらパレット移動を行った場合の動作の概要を示すフローチャートである。
【図１５】図１５は、フォークリフトのフォークの高さの検知を行いながらパレット移動を行った場合の動作の概要を示すフローチャートである。
【発明を実施するための形態】
【００２２】
以下、本発明の実施の形態について図面を参照して説明する。
【００２３】
＜無線タグを備えたパレット、及びフォークリフト＞
まず、本願発明における無線タグとバーコードを備えたパレット及びフォークリフトについて説明する。
【００２４】
図１（ａ）は、本発明の実施の形態で用いられる無線タグとバーコードを備えたパレットを構成例を示す図である。本発明のパレット１０は、通信機能を有する無線タグ１１とパレットの振動を検知する振動センサ１６を備えており、振動センサ１６の振動情報を無線タグ１１の通信機能を使って、他の装置、例えばフォークリフトに送信することができる。パレット１０の前面には、パレットのＩＤを示すバーコード１２とパレットの幅とを検知するためのスタートバー１４およびストップバー１５を備えている。尚、このバーコード１２は、図示した一次元バーコードに限らずＱＲコード（登録商標）等の２次元バーコードでもかまわない。
【００２５】
また、パレットの上面にはさらに、二次元パターンのドット１３を備えている。このパレット上面の二次元パターンのドット１３は、パレット前面のバーコード１２と対応付けられている。
【００２６】
尚、本構成例におけるパレットは、無線タグやバーコード、スタートストップバー、２次元パターンのドットを備えることができるが、全ての実施の形態におけるパレットが無線タグ等を備えているわけではなく、各実施の形態毎に適切な構成のパレットが適宜選択される。
【００２７】
図１（ｂ）は、図１（ａ）のパレット１０を複数枚重ねた図である。パレットの上面の二次元パターンのドットの少なくとも一部、例えば中央付近のドットを認識することができれば、パレットは空パレットであることを認識することができる。また、この二次元パターンのドットは、バーコード１２と関連付けされているので、一番下に置かれているパレット１０−６の前面のバーコードと一番上のパレット１０−１の上面の二次元パターンのドットを参照することにより、パレットが重なっているかを判定することができる。また、スタートバー１４とストップバー１５の横方向の距離を測ることにより、カメラとパレットの距離を把握することができ、スタートバー１４とストップバー１５の縦方向の距離を測ることにより、パレットの枚数を把握することができるようになっている。
【００２８】
図２は、本発明の実施の形態に係るパレットを運搬するフォークリフトを示す図である。本発明におけるフォークリフト２０は、パレット１０の設置場所を特定するための情報の一例であるマーカ４０をパレット１０とともに撮影することができるカメラ１（２１）とパレットのバーコード１２を読み取るカメラ２（２２）と、カメラ１（２１）で撮影された画像を表示するモニタ２７と、フォークリフト２０のフォークの高さを検知することができる高低センサ２３、２４を備えている。尚、カメラ２（２２）は、バーコード読み取り手段の例示であり、バーコードリーダーでもよい。
【００２９】
このマーカ４０には、例えば数字、アルファベットが付与され、パレットの設置場所を特定することができるようになっている。尚、本図では、パレットの設置場所を特定するためにマーカを使用したが、パレットの設置場所を特定する情報としてはマーカに限らず、設置場所を特定できる情報が撮影されたパレットの画像情報に含まれていれば十分である。例えば、床や壁の形状や色等により設置場所が特定できればよい。
【００３０】
高低センサ２３、２４は、フォークリフト２０のフォークの高低を判別する高さ判別手段の一例であり、検知した高低情報を送信する機能も有する。この高さ判別手段としては、光学式センサや近接センサ等のセンサ類等の高低センサに限られず、ＩＣタグの接近等によりフォークの移動を検出し、その情報を無線を使って送信するＲＦＩＤタグ等の他、フォークの高さが判別できるものであればよい。
【００３１】
さらに、フォークリフト２０は、パレットから送信された振動情報を受信する無線タグリーダ２５と、カメラ１（２１）で撮影された画像を保存するとともに、無線回線を経由して、他の装置、例えば、パレットを管理する装置であるエリアＰＣに保存した情報を送信する機能を有する装置２６（例えば、無線通信機能を備えたＰＣ）を備える。
【００３２】
図３は、本発明の実施の形態に係るフォークリフト２０とパレット１０の機能ブロック図である。フォークリフト２０は、カメラ１（２１）でパレット１０及びマーカ４０を、カメラ２（２２）でバーコード１２を読み取り、画像情報とバーコード情報を取得しながら、フォークの高さを検知する高低センサ２３、２４の検知情報と無線タグ１１から送信された振動情報を受信し、カメラの画像情報と振動情報及び高低センサの情報を関連付けながらメモリ２９に保存する。尚、上述したように、使用するパレットやフォークリフトの機能は各実施の形態毎に適宜選択される。
【００３３】
また、得られたパレットの画像情報、バーコード情報と振動情報及び高低センサの情報を、無線部２８の無線通信機能を使って、パレットを管理する装置であるエリアＰＣ（パレット管理装置）３０に送信する。
【００３４】
＜エリアＰＣ（パレット管理装置）＞
図４は、本発明の実施の形態に係るエリアＰＣ（パレット管理装置）の機能ブロック図である。エリアＰＣ（パレット管理装置）３０は、フォークリフト２０からの情報を受信する機能を有する無線部３３、無線部３３あるいは外部のネットワーク９０と信号を送受信するためのインタフェース部３４、パレットの画像情報等を保存するための記憶部３５、インタフェース部３４における信号の送受信を制御し、パレットの画像情報等の選別処理を行うＣＰＵ３２を備えた制御部３１、各部間での信号の送受信を行うためのバス３６から構成されている。パレットの画像情報の選別処理については、後述する発明の実施の形態の説明の中で詳しく説明する。
【００３５】
［第１の実施の形態］
以下、本発明の第１の実施の形態について説明する。
【００３６】
図５を用いて、パレット管理システムの全体構成とシステムの動作の概要を説明する。図５は、本発明の実施の形態に係るパレット管理システムの全体構成図である。まず、フォークリフト２０が移動を開始するとカメラにより画像撮影、画像の保存を開始する。図５（ａ）の位置まで、フォークリフトを移動させて所望のパレットをピックする。図５（ａ）の位置はマーカ４０等の位置を特定できる情報をパレットとともに撮影することにより認識することができる。その後、パレット１０を所望の位置まで移動させるが、移動中はカメラによる画像の撮影を継続する（図５（ｂ））。図５（ｃ）の位置にフォークリフトが到着するとパレット１０をセットする。パレット１０をピックした際（図５（ａ））と同様に、パレットをセットする位置は、マーカ５０等の撮影により認識することができる。
【００３７】
パレット１０の移動が完了するとフォークリフト２０は、無線基地局６０と通信が可能な位置に移動し、マーカの画像を含むパレット１０の画像情報、バーコード情報と振動情報及び高低センサの情報を、無線通信機能を使って、パレットを管理する装置であるエリアＰＣ（パレット管理装置）３０に送信する。
【００３８】
フォークリフトからの情報を受領したエリアＰＣ（パレット管理装置）は、受信した画像情報の選別を行い、選別されたパレット画像情報をパレットの識別情報とパレットの存在場所の情報と関連付けて保存する。エリアＰＣ（パレット管理装置）３０は、保存している情報をサーバ７０にアップロードし、サーバ７０はユーザ端末（８０−１〜８０−ｎ）からの要求に応じて、パレットの位置情報をネットワーク９０を通じてユーザに提供することができる。
【００３９】
尚、この画像情報の選別をフォークリフトに設置した装置２６（例えば、ＰＣ）で行い、選別した画像情報をサーバ７０に送信するように構成してもよい。これは以下の実施の形態においても同様である。
【００４０】
次に、第１の実施の形態におけるパレット画像情報の取得・選別方法について説明する。図６は、パレットのバーコード読み取り、フォークリフトのフォークの高さの検知とパレットの振動の測定を行いながらパレット移動を行った場合の動作の概要を示す図である。パレットをピックしてからセットするまでの動作のフローチャートを、図１１に示す。第一の実施の形態では、無線タグ、振動センサ及びバーコードを備えたパレットを用いる。
【００４１】
まず、フォークリフトが移動を開始すると（図６（１））、カメラ１により画像の撮影と保存を開始し（Ｓ１−１）、その後パレットの移動が完了するまで、撮影と保存を継続する。フォークリフトが移動し、パレットをピックする場所（図６（２））に移動したことをマーカ４０等により確認する（Ｓ１−２）。フォークリフトがパレットに近づくとパレット前面のバーコードを認識できるのでバーコードの読み取りを開始する（Ｓ１−３）。
【００４２】
次に、パレットをピックする際にフォークリフトのフォークが下がったことをセンサが認識し、フォークの高低情報の検出を開始する（Ｓ１−４）。そして、パレットをピックするとパレットから振動センサの振動情報が送信されるので、その振動情報も併せて保存を開始する（Ｓ１−５）。
【００４３】
パレットを運搬している状態（図６（３））では、バーコードの読み取りと振動情報の保存を継続し、フォークの高さはパレットを運搬するために高い状態が維持されている。
【００４４】
パレットをセットする場所（図６（４））に到着すると、まず、マーカ５０等により所定の場所に到着したことを認識し、パレットをセットするためにフォークの高さは低くなり（Ｓ１−６）、パレットの移動が停止されるのに伴って、パレットの振動情報も得られなくなる（Ｓ１−７）。パレットを設置してフォークリフトがパレットから離れるとパレットのバーコードの読み取りができなくなる（Ｓ１−８）。パレットをセットした後にマーカ５０等を検出した段階（Ｓ１−９）で、一連の動作が終了し、フォークリフトは、保存しておいた情報をエリアＰＣ（パレット管理装置）に送信（Ｓ１−１０）して、作業終了となる。
【００４５】
フォークリフトからの情報を受領したエリアＰＣ（パレット管理装置）は、受信したパレット画像情報の選別を行い、選別したパレット画像情報をパレットの設置場所を特定する画像データとして保存する。受領した情報の選別には、パレット画像情報と対応付けて保存されている、バーコード情報、フォークの高低情報及びパレットの振動情報の少なくとも一つを用いる。
【００４６】
エリアＰＣ（パレット管理装置）に送信された情報は、フォークリフトがパレットをピックしてから別な場所へのセットを完了するまでのすべての画像やバーコード情報等が保存されているので、その中から必要なパレットをセットした際の情報のみを選別し、保存しておく。このように画像を選別することにより余分な情報を削除して、記憶容量を削減するともに、パレットの位置情報の管理や情報へのアクセスを効率よく行うことができるようになる。
【００４７】
尚、上記では，画像情報の選別をエリアＰＣ３０で行う実施の形態を説明したが、この画像情報の選別をフォークリフトに設置した装置２６（例えば、ＰＣ）で行い、選別した画像情報をサーバ７０に送信するように構成してもよい。
【００４８】
本実施の形態では、パレット画像情報をバーコード情報、フォークの高低情報、振動情報に関連付けて保存してあるので、それらの情報を用いてパレット画像情報を選別することができる。例えば、バーコードの読み取りやパレットの高低情報の変化、パレット振動情報の変化が検出された後のマーカとパレットの画像のみをパレットの設置場所のデータとして保存することができる。
【００４９】
［第２の実施の形態］
以下、本発明の第２の実施の形態について説明する。
【００５０】
第２の実施の形態は、第１の実施の形態において、フォークリフトのフォークの高さの検知を行わない場合であり、パレットのバーコード読み取りとパレットの振動の測定を行いながらパレットの移動を行った場合である。
【００５１】
第２の実施の形態におけるパレット画像情報の取得・選別方法について説明する。図７は、パレットのバーコード読み取りとパレットの振動の測定を行いながらパレット移動を行った場合の動作の概要を示す図である。パレットをピックしてからセットするまでの動作のフローチャートを、図１２に示す。
【００５２】
まず、フォークリフトが移動を開始すると（図７（１））、カメラ１により画像の撮影と保存を開始し（Ｓ２−１）、その後パレットの移動が完了するまで、撮影と保存を継続する。フォークリフトが移動し、パレットをピックする場所（図７（２））に移動したことをマーカ４０等により確認する（Ｓ２−２）。フォークリフトがパレットに近づくとパレット前面のバーコードを認識できるのでバーコードの読み取りを開始する（Ｓ２−３）。  
【００５３】
次に、パレットをピックするとパレットから振動センサの振動情報が送信されるので、その振動情報も併せて保存を開始する（Ｓ２−４）。
【００５４】
パレットを運搬している状態（図７（３））では、バーコードの読み取りと振動情報の保存を継続する。
【００５５】
パレットをセットする場所（図７（４））に到着すると、まず、マーカ５０等により所定の場所に到着したことを認識し、パレットの移動が停止されるのに伴って、パレットの振動情報も得られなくなる（Ｓ２−５）。パレットをセットしてフォークリフトがパレットから離れるとパレットのバーコードの読み取りができなくなる（Ｓ２−６）。パレットをセットした後にマーカ５０等を検出した段階（Ｓ２−７）で、一連の動作が終了し、フォークリフトは、保存しておいた情報をエリアＰＣ（パレット管理装置）に送信（Ｓ２−８）して、作業終了となる。
【００５６】
フォークリフトからの情報を受領したエリアＰＣ（パレット管理装置）は、受信したパレット画像情報の選別を行い、選別したパレット画像情報をパレットの設置場所を特定する画像データとして保存する。受領した情報の選別には、パレット画像情報と対応付けて保存されている、バーコード情報及びパレットの振動情報少なくとも一つを用いる。
【００５７】
エリアＰＣ（パレット管理装置）に送信された情報は、フォークリフトがパレットをピックしてから別な場所へのセットを完了するまでのすべての画像やバーコード情報等が保存されているので、その中から必要なパレットをセットした際の情報のみを選別し、保存しておく。このように画像を選別することにより余分な情報を削除して、記憶容量を削減するともに、パレットの位置情報の管理や情報へのアクセスを効率よく行うことができるようになる。
【００５８】
尚、上記では，画像情報の選別をエリアＰＣ３０で行う実施の形態を説明したが、この画像情報の選別をフォークリフトに設置した装置２６（例えば、ＰＣ）で行い、選別した画像情報をサーバ７０に送信するように構成してもよい。
【００５９】
本実施の形態では、パレット画像情報をバーコード情報、パレットの振動情報に関連付けて保存してあるので、それらの情報を用いてパレット画像情報を選別することができる。例えば、バーコードの読み取りやパレットの振動情報の変化が検出された後におけるマーカとパレットの画像のみをパレットの設置場所のデータとして保存することができる。
【００６０】
［第３の実施の形態］
以下、本発明の第３の実施の形態について説明する。
【００６１】
第３の実施の形態は、第１の実施の形態において、パレットに振動センサがない場合であり、パレットのバーコード読み取りとフォークリフトのフォークの高さの検知を行いながらパレットの移動を行った場合である。
【００６２】
第３の実施の形態におけるパレット画像情報の取得・選別方法について説明する。図８は、パレットのバーコード読み取りとフォークリフトのフォークの高さの検知を行いながらパレット移動を行った場合の動作の概要を示す図である。パレットをピックしてからセットするまでの動作のフローチャートを、図１３に示す。
【００６３】
まず、フォークリフトが移動を開始すると（図８（１））、カメラ１により画像の撮影と保存を開始し（Ｓ３−１）、その後パレットの移動が完了するまで、撮影と保存を継続する。フォークリフトが移動し、パレットをピックする場所（図８（２））に移動したことをマーカ４０等により確認する（Ｓ３−２）。フォークリフトがパレットに近づくとパレット前面のバーコードを認識できるのでバーコードの読み取りを開始する（Ｓ３−３）。
【００６４】
次に、パレットをピックする際にフォークリフトのフォークが下がったことをセンサが認識し、フォークの高低情報の検出を開始する（Ｓ３−４）。
【００６５】
パレットを運搬している状態（図８（３））では、バーコードの読み取りを継続し、フォークの高さはパレットを運搬するために高い状態が維持されている。
【００６６】
パレットをセットする場所（図８（４））に到着すると、まず、マーカ５０等により所定の場所に到着したことを認識し、パレットをセットするためにフォークの高さは低くなる（Ｓ３−５）。パレットをセットしてフォークリフトがパレットから離れるとパレットのバーコードの読み取りができなくなる（Ｓ３−６）。パレットをセットした後にマーカ５０等を検出した段階（Ｓ３−７）で、一連の動作が終了し、フォークリフトは、保存しておいた情報をエリアＰＣ（パレット管理装置）に送信（Ｓ３−８）して、作業終了となる。
【００６７】
フォークリフトからの情報を受領したエリアＰＣ（パレット管理装置）は、受信したパレット画像情報の選別を行い、選別したパレット画像情報をパレットの設置場所を特定する画像データとして保存する。受領した情報の選別には、パレット画像情報と対応付けて保存されている、バーコード情報及びフォークの高低情報の少なくとも一つを用いる。
【００６８】
エリアＰＣ（パレット管理装置）に送信された情報は、フォークリフトがパレットをピックしてから別な場所へのセットを完了するまでのすべての画像やバーコード情報等が保存されているので、その中から必要なパレットをセットした際の情報のみを選別し、保存しておく。このように画像を選別することにより余分な情報を削除して、記憶容量を削減するともに、パレットの位置情報の管理や情報へのアクセスを効率よく行うことができるようになる。
【００６９】
尚、上記では，画像情報の選別をエリアＰＣ３０で行う実施の形態を説明したが、この画像情報の選別をフォークリフトに設置した装置２６（例えば、ＰＣ）で行い、選別した画像情報をサーバ７０に送信するように構成してもよい。
【００７０】
本実施の形態では、パレット画像情報をバーコード情報、フォークの高低情報に関連付けて保存してあるので、それらの情報を用いてパレット画像情報を選別することができる。例えば、バーコードの読み取りやパレットの高低情報の変化が検出された後におけるマーカとパレットの画像のみをパレットの設置場所のデータとして保存することができる。
【００７１】
［第４の実施の形態］
以下、本発明の第４の実施の形態について説明する。
【００７２】
第４の実施形態は、第１の実施の形態において、パレットにバーコードがない場合で、パレットの振動の測定とフォークリフトのフォークの高さの検知を行いながらパレット移動を行った場合である。
【００７３】
第４の実施の形態におけるパレット画像情報の取得・選別方法について説明する。図９は、フォークリフトのフォークの高さの検知とパレットの振動の測定を行いながらパレット移動を行った場合の動作の概要を示す図である。パレットをピックしてからセットするまでの動作のフローチャートを、図１４に示す。
【００７４】
まず、フォークリフトが移動を開始すると（図９（１））、カメラ１により画像の撮影と保存を開始し（Ｓ４−１）、その後パレットの移動が完了するまで、撮影と保存を継続する。フォークリフトが移動し、パレットをピックする場所（図９（２））に移動したことをマーカ４０等により確認する（Ｓ４−２）。
【００７５】
次に、パレットをピックする際にフォークリフトのフォークが下がったことをセンサが認識し、フォークの高低情報の検出を開始する（Ｓ４−３）。そして、パレットをピックするとパレットから振動センサの振動情報が送信されるので、その振動情報も併せて保存を開始する（Ｓ４−４）。
【００７６】
パレットを運搬している状態（図９（３））では、パレットの振動情報の保存を継続し、フォークの高さはパレットを運搬するために高い状態が維持されている。
【００７７】
パレットをセットする場所（図９（４））に到着すると、まず、マーカ５０等により所定の場所に到着したことを認識し、パレットをセットするためにフォークの高さは低くなり（Ｓ４−５）、パレットの移動が停止されるのに伴って、パレットの振動情報も得られなくなる（Ｓ４−６）。パレットをセットした後にマーカ５０等を検出した段階（Ｓ４−７）で、一連の動作が終了し、フォークリフトは、保存しておいた情報をエリアＰＣ（パレット管理装置）に送信（Ｓ４−８）して、作業終了となる。
【００７８】
フォークリフトからの情報を受領したエリアＰＣ（パレット管理装置）は、受信したパレット画像情報の選別を行い、選別したパレット画像情報をパレットの設置場所を特定する画像データとして保存する。受領した情報の選別には、パレット画像情報と対応付けて保存されている、フォークの高低情報及びパレットの振動情報の少なくとも一つを用いる。
【００７９】
エリアＰＣ（パレット管理装置）に送信された情報は、フォークリフトがパレットをピックしてから別な場所へのセットを完了するまでのすべての画像や振動情報等が保存されているので、その中から必要なパレットをセットした際の情報のみを選別し、保存しておく。このように画像を選別することにより余分な情報を削除して、記憶容量を削減するともに、パレットの位置情報の管理や情報へのアクセスを効率よく行うことができるようになる。
【００８０】
尚、上記では，画像情報の選別をエリアＰＣ３０で行う実施の形態を説明したが、この画像情報の選別をフォークリフトに設置した装置２６（例えば、ＰＣ）で行い、選別した画像情報をサーバ７０に送信するように構成してもよい。
【００８１】
本実施の形態では、パレット画像情報をフォークの高低情報、振動情報に関連付けて保存してあるので、それらの情報を用いてパレット画像情報を選別することができる。例えば、パレットの高低情報の変化、パレット振動情報の変化が検出された後のマーカとパレットの画像のみをパレットの設置場所のデータとして保存することができる。
【００８２】
［第５の実施の形態］
以下、本発明の第５の実施の形態について説明する。
【００８３】
第２〜第４の実施形態では、パレット画像情報をバーコード情報、フォークの高低情報、振動情報のうち少なくとも２つの情報を検出して、パレットの画像情報を選別する実施の形態について説明した。しかし、バーコード情報、フォークの高低情報、振動情報のいずれか一つの情報を用いて、画像を選別することも可能である。
【００８４】
第５の実施形態は、フォークリフトのフォークの高さの検知のみを行いながらパレット移動を行った場合である。バーコード情報、フォークの高低情報のいずれか一つの情報を用いた場合も同様である。
【００８５】
第５の実施の形態におけるパレット画像情報の取得・選別方法について説明する。図１０は、フォークリフトのフォークの高さの検知を行いながらパレット移動を行った場合の動作の概要を示す図である。パレットをピックしてからセットするまでの動作のフローチャートを、図１５に示す。
【００８６】
まず、フォークリフトが移動を開始すると（図１０（１））、カメラ１により画像の撮影と保存を開始し（Ｓ５−１）、その後パレットの移動が完了するまで、撮影と保存を継続する。フォークリフトが移動し、パレットをピックする場所（図１０（２））に移動したことをマーカ４０等により確認する（Ｓ５−２）。
【００８７】
次に、パレットをピックする際にフォークリフトのフォークが下がったことをセンサが認識し、フォークの高低情報の検出を開始する（Ｓ５−３）。
【００８８】
パレットを運搬している状態（図１０（３））では、フォークの高さはパレットを運搬するために高い状態が維持されている。
【００８９】
パレットをセットする場所（図１０（４））に到着すると、まず、マーカ５０等により所定の場所に到着したことを認識し、パレットをセットするためにフォークの高さは低くなる（Ｓ５−４）。パレットをセットした後にマーカ５０等を検出した段階（Ｓ５−５）で、一連の動作が終了し、フォークリフトは、保存しておいた情報をエリアＰＣ（パレット管理装置）に送信（Ｓ５−６）して、作業終了となる。
【００９０】
フォークリフトからの情報を受領したエリアＰＣ（パレット管理装置）は、受信したパレット画像情報の選別を行い、選別したパレット画像情報をパレットの設置場所を特定する画像データとして保存する。受領した情報の選別には、パレット画像情報と対応付けて保存されている、フォークの高低情報を用いる。
【００９１】
エリアＰＣ（パレット管理装置）に送信された情報は、フォークリフトがパレットをピックしてから別な場所へのセットを完了するまでのすべての画像やフォークの高低情報等が保存されているので、その中から必要なパレットをセットした際の情報のみを選別し、保存しておく。このように画像を選別することにより余分な情報を削除して、記憶容量を削減するともに、パレットの位置情報の管理や情報へのアクセスを効率よく行うことができるようになる。
【００９２】
尚、上記では，画像情報の選別をエリアＰＣ３０で行う実施の形態を説明したが、この画像情報の選別をフォークリフトに設置した装置２６（例えば、ＰＣ）で行い、選別した画像情報をサーバ７０に送信するように構成してもよい。
【００９３】
本実施の形態では、パレット画像情報をフォークの高低情報に関連付けて保存してあるので、それらの情報を用いてパレット画像情報を選別することができる。例えば、パレットの高低情報の変化が検出された後のマーカとパレットの画像のみをパレットの設置場所のデータとして保存することができる。
【００９４】
以上のように、パレットを移動する際にパレットの設置場所を特定するための情報、例えば、マーカを含んだパレットの画像情報をパレットの識別情報と関連付けて保存しておくことにより、パレットの紛失を防止し、パレットの管理、回収を確実に行うことができる。また、パレットの画像情報をパレットのバーコード情報やフォークの高低情報、パレットの振動情報等を用いて選別し、選別したパレット画像情報をパレットの設置場所を特定する画像データとして保存することができるので、画像情報の保存に必要な記憶容量を削減するとともに、パレットの設置位置情報へのアクセス、検索を効率よく行うことができるようになる。
【００９５】
また、図１で述べたように、本発明のパレットには、空きパレットを判別するための二次元パターンのドットと、パレットの枚数を検知するためのスタートおよびストップバーを備えることができるので、パレットの位置情報と併せて、パレットが空きパレットかどうかの情報と重ねられている枚数の情報も保存、管理することも可能である。
【産業上の利用可能性】
【００９６】
本発明は、パレットレンタルにおけるパレット管理や、パレットを用いて貨物を運搬する物流システムにおけるトレーサビリティシステム等に利用することができる。
【符号の説明】
【００９７】
１０…パレット、１１…無線タグ、１２…バーコード、１３…ドット、１４…スタートバー、１５…ストップバー、１６…振動センサ、２０…フォークリフト、２１…カメラ１、２２…カメラ２、２３、２４…高低センサ、２５…無線タグリーダ、２６…パソコン、２７…モニタ、２８…無線部、２９…メモリ、３０…エリアＰＣ（パレット管理装置）、３１…制御部、３２…ＣＰＵ、３３…無線部、３４…インタフェース部、３５…記憶手段、３６…バス、４０、５０…マーカ、６０…無線基地局、７０…サーバ、８０−１〜８０−ｎ…ユーザ端末。
【図１】
2015084139.tif 000003
【図２】
2015084139.tif 000004
【図３】
2015084139.tif 000005
【図４】
2015084139.tif 000006
【図５】
2015084139.tif 000007
【図６】
2015084139.tif 000008
【図７】
2015084139.tif 000009
【図８】
2015084139.tif 000010
【図９】
2015084139.tif 000011
【図１０】
2015084139.tif 000012
【図１１】
2015084139.tif 000013
【図１２】
2015084139.tif 000014
【図１３】
2015084139.tif 000015
【図１４】
2015084139.tif 000016
【図１５】
2015084139.tif 000017